(57)【要約】【課題】実用性および利便性を高めることができる上、使用する際の安全性も高めることができるＬＥＤランプを提供する。【解決手段】ＬＥＤランプは、少なくとも１つの凸部２０６と、凸部２０６に設けられた複数の第１の係合孔２４６とを有する固定板２０４と、複数の第１の係合孔２４６にそれぞれ対応した複数の第２の係合孔２２６を有する少なくとも１つのＬＥＤライト基板２１０と、第１の係合孔２４６および第２の係合孔２２６の中にそれぞれ順次締結し、凸部２０６上にＬＥＤライト基板２１０を固定する複数の第１の締結部材２２８と、固定板２０４が表面上に固定された底板２０２とを備える。【選択図】図２Ｃ
2010199057.tif 000002
【特許請求の範囲】
【請求項１】
少なくとも１つの凸部と、前記凸部に設けられた複数の第１の係合孔と、を有する固定板と、
前記複数の第１の係合孔にそれぞれ対応した複数の第２の係合孔を有する少なくとも１つのＬＥＤライト基板と、
前記第１の係合孔および前記第２の係合孔の中にそれぞれ順次締結し、前記凸部上に前記ＬＥＤライト基板を固定する複数の第１の締結部材と、
前記固定板が表面上に固定された底板と、を備えることを特徴とするＬＥＤランプ。
【請求項２】
前記固定板は、前記底板の表面に設けられた複数の固定柱をそれぞれ対応するように固定する複数の固定孔を有することを特徴とする請求項１に記載のＬＥＤランプ。
【請求項３】
前記固定柱は、前記固定孔にカシメ固定されることを特徴とする請求項２に記載のＬＥＤランプ。
【請求項４】
前記固定板は、前記固定孔が穿設された少なくとも１つの底部を有することを特徴とする請求項２に記載のＬＥＤランプ。
【請求項５】
前記固定孔のそれぞれの孔壁にはリード角構造が設けられることを特徴とする請求項２に記載のＬＥＤランプ。
【請求項６】
前記底板は、表面と表裏の関係にある他方の表面と、前記他方の表面にそれぞれ突設され、少なくとも１つのホールをそれぞれ有する少なくとも４つの曲耳片とを有することを特徴とする請求項１に記載のＬＥＤランプ。
【請求項７】
第１の接合片と第２の接合片とを互いに接続させる少なくとも２つの支持部材をさらに備え、
前記底板は、表面周囲に立設された２つの側面を有し、
前記第１の接合片は、前記側面にそれぞれ固定され、
前記第２の接合片は、前記側面から前記底板の外側に向かって延設されることを特徴とする請求項１に記載のＬＥＤランプ。
【請求項８】
互いに表裏の関係にある第１の表面および第２の表面を有する底板と、
前記底板の前記第１の表面上に固定した少なくとも１つのＬＥＤライト基板と、
前記底板の前記第２の表面上に固定され、互いに対応した２つの側面を含み、前記側面のそれぞれの側部には少なくとも１つの係合片が設けられたスライドレールと、
前記スライドレールとスライドレールベースとを結合させるために、前記係合片がそれぞれ対応して係合される少なくとも２つの係合溝を有するスライドレールベースと、を備えることを特徴とするＬＥＤランプ。
【請求項９】
前記係合溝のそれぞれの中では、前記係合片の位置決めを行う位置決め部を有することを特徴とする請求項８に記載のＬＥＤランプ。
【請求項１０】
固定板および複数の第１の締結部材をさらに備え、
前記固定板は、前記底板の前記第１の表面上に固定され、少なくとも１つの凸部と、前記凸部に設けられた複数の第１の係合孔とを有し、
前記ＬＥＤライト基板は、前記第１の係合孔にそれぞれ対応した複数の第２の係合孔を有し、
前記複数の第１の締結部材は、前記複数の第１の締結部材および前記複数の第２の締結部材にそれぞれ順次係合され、前記凸部上に前記ＬＥＤライト基板を固定させることを特徴とする請求項８に記載のＬＥＤランプ。
【発明の詳細な説明】
【技術分野】
【０００１】
本発明は、ランプに関し、特にＬＥＤランプに関する。
【背景技術】
【０００２】
図１Ａおよび図１Ｂを参照する。図１Ａは、従来のＬＥＤランプの上面を示す斜視図である。図１Ｂは、従来のＬＥＤランプの底面を示す斜視図である。図１Ａに示すように、ＬＥＤランプ１００は、ベース１０２、複数のＬＥＤライト基板１０４、駆動装置１２０および端子台１２２を含む。各ＬＥＤライト基板１０４は、複数のＬＥＤ１０６および回路基板１０８を含む。これら複数のＬＥＤ１０６は、回路基板１０８上に配置され、回路基板１０８と電気的に接続されている。
【０００３】
図１Ａおよび図１Ｂを参照する。図１Ａおよび図１Ｂに示すように、ベース１０２は、互いに表裏の関係にある表面１１２および表面１１４を有する。ＬＥＤライト基板１０４は、ベース１０２上に固定されている。ＬＥＤライト基板１０４には、複数のネジ孔１１８が穿設されている。図１Ｂに示すように、ベース１０２には、複数のネジ孔１２６が穿設され、ベース１０２のネジ孔１２６の位置および数は、ＬＥＤライト基板１０４のネジ孔１１８の位置および数に対応している。ＬＥＤライト基板１０４のネジ孔１１８と、ベース１０２のネジ孔１２６とに複数のネジ１１６を順次貫設させて締め付け、ベース１０２の表面１１２上にＬＥＤライト基板１０４を固定する。図１Ａに示すように、ベース１０２の表面１１２上に、駆動装置１２０および端子台１２２を固定する。さらに、端子台１２２に駆動装置１２０を電気的に接続することにより、全ての駆動装置１２０がＬＥＤライト基板１０４と電気的に接続される。
【０００４】
ＬＥＤランプ１００は、軽量鉄骨１２４により支持される軽量鉄骨型のランプ（Ｔ−ｂａｒ）であるため、軽量鉄骨１２４を備える天井にしか装着することができなかった。そのため、ＬＥＤランプ１００は、ある環境下では使用することができず、その応用は限定的であった。その上、ＬＥＤライト基板１０４およびベース１０２にネジ１１６を貫設させて締め付けるため、ベース１０２の表面１１４の側部から露出されたネジ１１６により、ユーザが怪我をする虞があった。
【発明の概要】
【発明が解決しようとする課題】
【０００５】
本発明の目的は、例えば、底板背面の複数の曲耳片と、底板の側壁に配置した複数の支持片と、および／または底板背面のスライドレールとの組み合わせにより、様々な種類の取付機構を提供することができるため、ＬＥＤランプを様々な環境下で装着することができることにより、ＬＥＤランプの実用性および使用の利便性が高いＬＥＤランプを提供することにある。
【０００６】
本発明のもう一つの目的は、固定板と底板との間に設けた固定部材が底板から露出されないため、使用する際の安全性を高めることができるＬＥＤランプを提供することにある。
【課題を解決するための手段】
【０００７】
（１）本発明は上記課題を解決するため、少なくとも１つの凸部と、前記凸部に設けられた複数の第１の係合孔と、を有する固定板と、前記複数の第１の係合孔にそれぞれ対応した複数の第２の係合孔を有する少なくとも１つのＬＥＤライト基板と、前記第１の係合孔および前記第２の係合孔の中にそれぞれ順次締結し、前記凸部上に前記ＬＥＤライト基板を固定する複数の第１の締結部材と、前記固定板が表面上に固定された底板と、を備えることを特徴とするＬＥＤランプを提供する。
【０００８】
（２）また、互いに表裏の関係にある第１の表面および第２の表面を有する底板と、前記底板の前記第１の表面上に固定した少なくとも１つのＬＥＤライト基板と、前記底板の前記第２の表面上に固定され、互いに対応した２つの側面を含み、前記側面のそれぞれの側部には少なくとも１つの係合片が設けられたスライドレールと、前記スライドレールとスライドレールベースとを結合させるために、前記係合片がそれぞれ対応して係合される少なくとも２つの係合溝を有するスライドレールベースと、を備えることを特徴とするＬＥＤランプを提供する。
【発明の効果】
【０００９】
本発明のＬＥＤランプは、実用性および利便性を高めることができる上、使用する際の安全性も高めることができる。
【図面の簡単な説明】
【００１０】
【図１Ａ】従来のＬＥＤランプの上面を示す斜視図である。
【図１Ｂ】従来のＬＥＤランプの底面を示す斜視図である。
【図２Ａ】本発明の第１実施形態によるＬＥＤランプを示す正面図である。
【図２Ｂ】本発明の第１実施形態によるＬＥＤランプを示す断面図である。
【図２Ｃ】本発明の第１実施形態によるＬＥＤランプを示す部分拡大図である。
【図２Ｄ】本発明の第１実施形態によるＬＥＤランプを示す部分拡大図である。
【図２Ｅ】本発明の第１実施形態によるＬＥＤランプを装着するときの状態を示す斜視図である。
【図３Ａ】本発明の第２実施形態によるＬＥＤランプを示す背面図である。
【図３Ｂ】本発明の第２実施形態によるＬＥＤランプを示す部分斜視図である。
【図３Ｃ】本発明の第２実施形態によるＬＥＤランプを示す部分断面図である。
【図４Ａ】本発明の第３実施形態によるＬＥＤランプのスライドレールベースを示す斜視図である。
【図４Ｂ】本発明の第３実施形態によるＬＥＤランプを示す斜視図である。
【図４Ｃ】本発明の第３実施形態によるＬＥＤランプを示す斜視図である。
【図４Ｄ】本発明の第３実施形態によるＬＥＤランプを示す斜視図である。
【発明を実施するための形態】
【００１１】
以下、添付図面を参照して本発明の好適な実施形態について詳細に説明する。
【００１２】
（第１実施形態）
図２Ａ、図２Ｂおよび図２Ｅを参照する。図２Ａは、本発明の第１実施形態によるＬＥＤランプを示す正面図である。図２Ｂは、本発明の第１実施形態によるＬＥＤランプを示す断面図である。図２Ｅは、本発明の第１実施形態によるＬＥＤランプを装着するときの状態を示す斜視図である。
【００１３】
図２Ａに示すように、ＬＥＤランプ２００ａは、主に底板２０２、固定板２０４、少なくとも１つのＬＥＤライト基板２１０、複数の締結部材２２８を含む。一般に、ＬＥＤランプ２００ａは、互いに電気的に接続された駆動装置２１８と端子台２２０とをさらに含む。
【００１４】
図２Ａ〜図２Ｄを同時に参照する。図２Ｃは、図２Ｂの部分２３０を示す部分拡大図である。図２Ｄは、図２Ｂの部分２３２を示す部分拡大図である。固定板２０４は、少なくとも１つの凸部２０６および少なくとも１つの底部２０８を含む。固定板２０４は、複数の係合孔２４６および複数の固定孔２２２を含む。図２Ａ〜図２Ｄに示すように、第１実施形態では、固定板２０４の凸部２０６に、係合孔２４６が穿設され、固定板２０４の底部２０８に、固定孔２２２が穿設されている。他の実施形態では、固定板２０４の凸部２０６に固定孔２２２が穿設されてもよい。図２Ｃおよび図２Ｄに示すように、第１実施形態による各固定孔２２２の孔壁には、固定板２０４と底板２０２とを結合させるのに都合が良いようにリード角構造２５０が設けられている。
【００１５】
ＬＥＤランプ２００ａは、必要に応じて単数または複数にしてもよい。各ＬＥＤライト基板２１０は、主に回路基板２１４および複数のＬＥＤ２１２を含む。これらＬＥＤ２１２は、例えば、表面実装技術（Ｓｕｒｆａｃｅ  Ｍｏｕｎｔ  Ｔｅｃｈｎｏｌｏｇｙ：ＳＭＴ）により、回路基板２１４上に固定し、回路基板２１４上に設けられた所定の回路と電気的に接続されている。図２Ａ、図２Ｃおよび図２Ｄに示すように、各ＬＥＤライト基板２１０は、回路基板２１４に穿設された複数の係合孔２２６を有する。本実施形態では、これら係合孔２２６の数および位置は、固定板２０４の係合孔２４６の数および位置にそれぞれ対応している。締結部材２２８の数は、例えば、ＬＥＤライト基板２１０の係合孔２２６および固定板２０４の係合孔２４６の数と等しい。各締結部材２２８は、ＬＥＤライト基板２１０の係合孔２２６と固定板２０４の係合孔２４６の中に対応するように、順次貫通させて締め付け、固定板２０４の凸部２０６上にＬＥＤライト基板２１０を固定させる。第１実施形態の締結部材２２８は、ネジでもよく、係合孔２２６および係合孔２４６は、両方ともネジ孔にしてもよいし、或いは、係合孔２４６だけをネジ孔にし、係合孔２２６をネジ部を有さない貫通孔にしてもよい。
【００１６】
底板２０２には、金属板（例えば、亜鉛めっき鋼板またはアルミニウム板）を用いてもよい。図２Ａおよび図２Ｅを同時に参照する。図２Ａおよび図２Ｅに示すように、底板２０２は、互いに表裏の関係にある表面２１６および表面２３４を有する。固定板２０４と、固定板２０４上に設けたＬＥＤライト基板２１０、駆動装置２１８および端子台２２０とは、底板２０２の表面２１６上に配置することもできる。図２Ｂに示すように、第１実施形態のＬＥＤランプ２００ａは、選択的にカバープレート２５２を有してもよい。このカバープレート２５２は、ＬＥＤランプ２００ａの前端表面上を覆い、底板２０２の周囲と結合されている。固定板２０４、ＬＥＤライト基板２１０、駆動装置２１８および端子台２２０は、カバープレート２５２と底板２０２との組み合わせにより構成された空間の中に収納される。カバープレート２５２には、ランプの必要に応じて光学作用（例えば、光拡散作用）の機能を備えさせてもよい。
【００１７】
図２Ａ、図２Ｃおよび図２Ｄに示すように、底板２０２の表面２１６には複数の固定柱２２４が設けられている。これら固定柱２２４は、底板２０２の表面２１６上にプレス成形により突設させてもよい。本実施形態の固定柱２２４の数および位置は、例えば、固定板２０４の固定孔２２２に対応する。図２Ｄに示すように、固定板２０４と底板２０２とを組み合わせると、底板２０２の表面２１６上に固定板２０４を押圧し、固定板２０４の固定孔２２２の中へ底板２０２の固定柱２２４を貫設させる。この際、固定板２０４の底部２０８の表面から、底板２０２の固定柱２２４が僅かに突出されている。続いて、図２Ｃに示すように、固定柱２２４の突出部分を平らにし、この部分の固定柱２２４を固定孔２２２のリード角構造２５０の中に延伸させる。これにより、固定柱２２４と、固定柱２２４が貫設された固定孔２２２とがカシメ固定され、固定孔２２２の中へ固定柱２２４を固定させることができる。このように、固定孔２２２のリード角構造２５０を利用し、固定板２０４とともに、固定板２０４の上に設けられたＬＥＤライト基板２１０を底板２０２の表面２１６上へ堅固に固定させることができる。
【００１８】
図２Ｃおよび図２Ｄに示すように、本実施形態では、底板２０２上に固定板２０４を固定すると、固定板２０４の凸部２０６と、底板２０２の表面２１６とにより囲まれた空間２４８が形成される。各締結部材２２８は、ＬＥＤライト基板２１０から固定板２０４を介してこの空間２４８の中に延伸されているが、底板２０２へは延伸されず、貫設されていない状態である。そのため、底板２０２から締結部材２２８が露出されずに、手を切ることを防止することができる。
【００１９】
図２Ｅを参照する。図２Ｅに示すように、底板２０２は、製品の必要に応じ、その中へ選択的に穿設した１つまたは複数の放熱孔２４２により放熱を行うことができる。これらの放熱孔２４２は、ＬＥＤライト基板２１０の下方に設けられた底板２０２の中に対応するように配置されている。図２Ｅに示すように、底板２０２には、必要に応じて装着する際に用いる４つの曲耳片２３６を選択的に含んでもよい。これら４つの曲耳片２３６は、プレス成形方式などにより、底板２０２の表面２３４上に突設させ、少なくとも１つのホール２３８をそれぞれ含んでもよい。曲耳片２３６のホール２３８にサスペンションワイヤ２４０を貫通させ、天井２４４からＬＥＤランプ２００ａを吊下げる。このサスペンションワイヤ２４０は、ワイヤ線などでもよい。
【００２０】
（第２実施形態）
図３Ａ〜図３Ｃを参照する。図３Ａは、本発明の第２実施形態によるＬＥＤランプを示す背面図である。図３Ｂは、本発明の第２実施形態によるＬＥＤランプを示す部分斜視図である。図３Ｃは、本発明の第３実施形態によるＬＥＤランプを示す部分断面図である。本発明の第２実施形態によるＬＥＤランプ２００ｂの主なアーキテクチャは、第１実施形態によるＬＥＤランプ２００ａと略同じであるが、少なくとも２つの支持部材２５６を含む点が異なる（図３Ａに示す）。ＬＥＤランプ２００ｂは、２つの支持部材２５６を用い、上述の第１実施形態のＬＥＤランプ２００ａと異なる方式で装着してもよい。
【００２１】
図３Ｂおよび図３Ｃを参照する。図３Ｂおよび図３Ｃに示すように、第２実施形態による各支持部材２５６は、互いに接続された２つの接合片２５８，２６０を含む。第２実施形態による各支持部材２５６は、例えばＬ字状であり、接合片２５８と接合片２６０とは互いに略垂直に設けられている。図３Ｂに示すように、ＬＥＤランプ２００ｂの中では、底板２０２は、表面２１６の周りに立設された少なくとも２つの側面２５４を含む。支持部材２５６は、底板２０２の側面２５４の傍らにそれぞれ配置され、対応した側面２５４に結合されている。図３Ｃに示すように、各支持部材２５６の接合片２５８は、少なくとも１つの係合孔２６２を含み、底板２０２の側面２５４は、少なくとも１つの係合孔２６６を含む。接合片２５８の係合孔２６２と、底板２０２の側面２５４の係合孔２６６とは互いに対応した位置関係にある。ＬＥＤランプ２００ｂは、複数の締結部材２６４をさらに含む。これら締結部材２６４は、接合片２５８の係合孔２６２および側面２５４の係合孔２６６の中へ順次対応するように貫通させて締め付けることにより、対応した側面２５４上に接合片２５８をそれぞれ固定し、支持部材２５６と底板２０２とを結合する。この際、図３Ｃに示すように、これら支持部材２５６の他方の接合片２６０は、底板２０２の側面２５４の箇所から底板２０２の外側に向かって延伸している。本実施形態において、接合片２５８の係合孔２６２と、側面２５４の係合孔２６６とは円形状のネジ孔であり、締結部材２６４はネジである。他の実施形態では、接合片２５８の係合孔２６２および／または側面２５４の係合孔２６６を長尺状のネジ孔で構成し、締結部材２６４をネジで構成してもよい。
【００２２】
図３Ｃを参照する。図３Ｃに示すように、ＬＥＤランプ２００ｂの底板２０２の側面２５４上に支持部材２５６を設けることにより、天井２４４にＬＥＤランプ２００ｂを嵌設させて装着する。この際、天井２４４に支持部材２５６の接合片２６０を係合し、ＬＥＤランプ２００ｂを支持する。
【００２３】
（第３実施形態）
図４Ａ、図４Ｃおよび図４Ｄを参照する。図４Ａは、本発明の第３実施形態によるＬＥＤランプを示す部分斜視図である。図４Ｃは、本発明の第３実施形態によるＬＥＤランプを装着するときの状態を示す斜視図である。図４Ｄは、本発明の第３実施形態によるＬＥＤランプを示す斜視図である。第３実施形態のＬＥＤランプ２００ｃの主なアーキテクチャは、第１実施形態のＬＥＤランプ２００ａと略同じであるが、スライドレール２６８およびスライドレールベース２７６を含む点が異なる（図４Ａおよび図４Ｃに示す。）。第３実施形態によるＬＥＤランプ２００ｃは、第１実施形態のＬＥＤランプ２００ａおよび第２実施形態のＬＥＤランプ２００ｂの方式と異なり、スライドレール２６８とスライドレールベース２７６との組み合わせにより装着する。
【００２４】
図４Ａおよび図４Ｃを参照する。図４Ａおよび図４Ｃに示すように、ＬＥＤランプ２００ｃは、スライドレール２６８およびスライドレールベース２７６を含む。スライドレール２６８は、複数の締結部材２７４（例えば、ネジ）を利用し、底板２０２の表面２３４上に固定させる。スライドレール２６８は、互いに対応した２つの側面２７０を含む。この２つの側面２７０は、例えば、スライドレール２６８の互いに対応した２つの側部に立設してもよい。各側面２７０の側部には、少なくとも１つの係合片２７２が設けられている。この側面２７０の係合片２７２は、側面２７０からスライドレール２６８の内側に向かって延伸されたり、側面２７０からスライドレール２６８の外側に向かって延伸されたりしてもよい。図４Ａに示すように、第３実施形態のスライドレール２６８の各側面２７０は、２つの係合片２７２を有する。
【００２５】
図４Ｂを参照する。図４Ｂは、本発明の第３実施形態によるＬＥＤランプのスライドレールベースを示す斜視図である。スライドレールベース２７６は、少なくとも２つの係合溝２７８を含む。２つの係合溝２７８は互いに対応し、スライドレール２６８の係合片２７２に対応した箇所に設けられている。図４Ａおよび図４Ｂに示すように、スライドレール２６８の係合片２７２の数に対応し、スライドレールベース２７６は、４つの係合溝２７８を含む。スライドレールベース２７６の互いに対応した２つの側部には、それぞれ２つの係合溝２７８が設けられている。第３実施形態において、各係合溝２７８は、互いに連通した２つの開孔２８４，２８６を含み、位置決め部２８０を選択的に含んでもよい。この位置決め部２８０は、スライドレール２６８の位置決めを行うために、係合溝２７８の２つの開孔２８４，２８６の間に設けられている。スライドレールベース２７６は、スライドレール２６８の機構設計に応じてその構造設計を調整してもよい。例えば、スライドレール２６８とスライドレールベース２７６とを結合した後、選択的に設けた複数の開口２８２の中で、スライドレール２６８上の締結部材２７４を移動させてもよい。
【００２６】
図４Ｂ、図４Ｃおよび図４Ｄを再び参照する。スライドレール２６８とスライドレールベース２７６とを組み合わせる場合、まず、図４Ｂのスライドレールベース２７６を反転させてから、スライドレールベース２７６に対応した係合溝２７８の開孔２８４の中へ、スライドレール２６８の係合片２７２を配置させる（図４Ｃを参照する。）。続いて、スライドレール２６８の係合片２７２が位置決め部２８０の上方の隙間を利用し、スライドレールベース２７６の係合溝２７８の開孔２８６の中へ移動すると、これらの係合片２７２が対応する係合溝２７８にそれぞれ係合され、スライドレールベース２７６上にスライドレール２６８をスムーズに装着することができる。これにより、スライドレール２６８とスライドレールベース２７６とを結合させることができる。また、このスライドレールベース２７６が天井に装着された場合、ＬＥＤランプ２００ｃ自体の重さにより、スライドレール２６８の係合片２７２が下向きでスライドレールベース２７６に当接された後、係合溝２７８の開孔２８４，２８６間に設けられた位置決め部２８０により、スライドレール２６８の係合片２７２の位置がスライドレールベース２７６の係合溝２７８の開孔２８６の中に拘束される。そのため、係合溝２７８の中の位置決め部２８０により、スライドレール２６８の係合片２７２を、対応した係合溝２７８の中へ有効に位置決めさせることができる。
【００２７】
上述の第２実施形態によるＬＥＤランプ２００ｂのＬＥＤライト基板と底板２０２との結合方式と、第３実施形態によるＬＥＤランプ２００ｃのＬＥＤライト基板と底板２０２との結合方式とは、第１実施形態によるＬＥＤランプ２００ａと同じにしてもよい。上述の第２実施形態によるＬＥＤランプ２００ｂのＬＥＤライト基板と底板２０２との結合方式と、第３実施形態によるＬＥＤランプ２００ｃのＬＥＤライト基板と底板２０２との結合方式とは、第１実施形態によるＬＥＤランプ２００ａと異なってもよい。
【００２８】
本実施形態において、上述の第１〜第３実施形態によるＬＥＤランプは、例えば、ＬＥＤランプ２００ａの曲耳片２３６、ＬＥＤランプ２００ｂの支持部材２５６、並びにＬＥＤランプ２００ｃのスライドレール２６８およびスライドレールベース２７６などの取付機構を含む以外に、上述の実施方式の取付機構を全て含んでもよい。例えば、ＬＥＤランプは、曲耳片２３６、支持部材２５６、並びにスライドレール２６８およびスライドレールベース２７６の機構を全て含んだり、これら三種類のうちの何れか二種類の機構を含んだりしてもよい。
【００２９】
上述の実施形態から分かるように、本発明のＬＥＤランプは、様々な取付機構を含んでいる。例えば、底板背面の複数の曲耳片と、底板の側壁の外に配置した複数の支持片と、および／または底板背面のスライドレールとを組み合わせることにより、様々な種類の取付機構を利用することができる。そのため、ＬＥＤランプを様々な環境で装着させることができ、実用性および使用上の利便性が高い。
【００３０】
さらに本発明のもう一つの目的は、固定板と底板との間に設けた固定部材が底板から露出されないため、使用する際の安全性を高めることができるＬＥＤランプを提供することにある。
【００３１】
当該分野の技術を熟知するものが理解できるように、本発明の好適な実施形態を前述の通り開示したが、これらは決して本発明を限定するものではない。本発明の主旨と範囲を脱しない範囲内で各種の変更や修正を加えることができる。従って、本発明による特許請求の範囲は、このような変更や修正を含めて広く解釈されるべきである。
【符号の説明】
【００３２】
１００  ＬＥＤランプ
１０２  ベース
１０４  ＬＥＤライト基板
１０６  ＬＥＤ
１０８  回路基板
１１２  表面
１１４  表面
１１６  ネジ
１１８  ネジ孔
１２０  駆動装置
１２２  端子台
１２４  軽量鉄骨
１２６  ネジ孔
２００ａ  ＬＥＤランプ
２００ｂ  ＬＥＤランプ
２００ｃ  ＬＥＤランプ
２０２  底板
２０４  固定板
２０６  凸部
２０８  底部
２１０  ＬＥＤライト基板
２１２  ＬＥＤ
２１４  回路基板
２１６  表面
２１８  駆動装置
２２０  端子台
２２２  固定孔
２２４  固定柱
２２６  係合孔
２２８  締結部材
２３０  部分
２３２  部分
２３４  表面
２３６  曲耳片
２３８  ホール
２４０  サスペンションワイヤ
２４２  放熱孔
２４４  天井
２４６  係合孔
２４８  空間
２５０  リード角構造
２５２  カバープレート
２５４  側面
２５６  支持部材
２５８  接合片
２６０  接合片
２６２  係合孔
２６４  締結部材
２６６  係合孔
２６８  スライドレール
２７０  側面
２７２  係合片
２７４  締結部材
２７６  スライドレールベース
２７８  係合溝
２８０  位置決め部
２８２  開口
２８４  開孔
２８６  開孔
【図１Ａ】
2010199057.tif 000003
【図１Ｂ】
2010199057.tif 000004
【図２Ａ】
2010199057.tif 000005
【図２Ｂ】
2010199057.tif 000006
【図２Ｃ】
2010199057.tif 000007
【図２Ｄ】
2010199057.tif 000008
【図２Ｅ】
2010199057.tif 000009
【図３Ａ】
2010199057.tif 000010
【図３Ｂ】
2010199057.tif 000011
【図３Ｃ】
2010199057.tif 000012
【図４Ａ】
2010199057.tif 000013
【図４Ｂ】
2010199057.tif 000014
【図４Ｃ】
2010199057.tif 000015
【図４Ｄ】
2010199057.tif 000016